(57)【要約】【課題】一つの長尺部材によって錠前設置の高さ位置の選択が可能となる家具を提供する。【解決手段】任意の引戸を開閉動作させると他の引戸がこれに連動するように関連付けられたリンク機構を具備し、該リンク機構は、開閉操作中には引戸との連結位置が変化しないと共にその位置での回動が自由な非移動連結部Ｊ３と、引戸との連結位置が上下方向に移動して変化する移動連結部Ｊ１，Ｊ２とを有し、移動連結部Ｊ１の移動方向に沿って延伸していると共に規制部を有する長尺部材１４を起立、倒伏自在に設け、規制部は長尺部材が倒伏状態では移動連結部の移動を規制せず、起立状態において規制し、長尺部材にはその長手方向に離隔した複数箇所に係合部１４Ｋ，１４Ｋ’が設けられており、何れかの係合部１４Ｋは長尺部材の傍に設けた錠前２０を操作することによって駆動される被駆動部材２２と係合し合って、長尺部材を起立、倒伏させる。【選択図】        図２
2006257698.tif 000002
【特許請求の範囲】
【請求項１】
３枚以上の引戸によって開口部の開閉がなされる家具であって、
任意の引戸を開閉動作させると他の引戸がこれに連動するように関連付けられたリンク機構を具備し、該リンク機構は、開閉操作中には引戸との連結位置が変化しないと共にその位置での回動が自由な非移動連結部と、引戸との連結位置が上下方向に移動して変化する移動連結部とを有し、
移動連結部の移動方向に沿って延伸していると共に規制部を有する長尺部材を起立、倒伏自在に設け、
前記規制部は前記長尺部材が倒伏状態では前記移動連結部の移動を規制せず、起立状態において規制し、
前記長尺部材には該長尺部材の長手方向に離隔した複数箇所に係合部が設けられており、何れかの係合部が、長尺部材の傍に設けた錠前を操作することによって駆動される被駆動部材と係合し合って、該長尺部材を起立、倒伏させることができる
ことを特徴とする家具。
【請求項２】
下置き家具と、該下置き家具の上に載置される上置き家具との組み合わせからなる家具であって、夫々に３枚以上の引戸を有し、前記係合部を前記長尺部材の長手方向各端部又はその近傍に設け、下置き家具と上置き家具の上下方向に沿って同一種類の長尺部材を夫々配設し、下置き家具では上方の係合部に隣接する位置に錠前を設け、上置き家具では下方の係合部に隣接する位置に錠前を設けている上下の夫々が請求項１記載の家具である組み合わせ家具。
【発明の詳細な説明】
【技術分野】
【０００１】
本発明は、３枚以上の引戸を有する書庫等の家具に関する。
【背景技術】
【０００２】
３枚以上の引戸を有する書庫等の家具では、他の引戸との連動性が無ければ、一つの引戸を開放操作するという単純な操作では、十分な開口部を得ることはできない。また、閉じる場合も同様である。従って、各引戸を連動させるリンク機構を設けることが一般的である。下記特許文献１には、１本の連動部材６を用いたリンク機構が開示されている。所謂、Ｉ型リンクである。その他、２本の連動部材を用いたＶ型、逆Ｖ型、Ｙ型、逆Ｙ型、Ｘ型等もある。本願の移動連結部に対応する２個の支軸１４の内の一方に隣接した位置に錠前１５を設け、その係止部材１７によって前記支軸１４に係止させてリンク機構の動きを規制している。即ち、この文献１の開示では、錠前は、各引戸が閉じられた状態における支軸の位置の傍に限られる。また、特許文献２では、上記の逆Ｖ型のリンク機構が用いられているが、移動連結部に相当する回転中心軸５６とこれに装着されたローラ５５の上下移動を、所定位置に離隔設置した錠前近くから左右方向に延びたストップバー６５を錠前の操作によって回転駆動させて、規制する機構が開示されている。従って、移動連結部から離隔した位置に錠前を設けることができる。
【特許文献１】特許第３４０２１４７号
【特許文献２】特許第３４２９２１６号
【発明の開示】
【発明が解決しようとする課題】
【０００３】
しかし、上記文献２のストップバー使用機構では、錠前の設置位置は、該バーの一側端部付近に限られ、該同一バーを用いて異なる高さ位置に錠前設置することはできない。
従って解決しようとする課題は、一つの長尺部材によって錠前設置の高さ位置の選択が可能となる家具を提供することである。
【課題を解決するための手段】
【０００４】
第１の発明では、３枚以上の引戸によって開口部の開閉がなされる家具であって、任意の引戸を開閉動作させると他の引戸がこれに連動するように関連付けられたリンク機構を具備し、該リンク機構は、開閉操作中には引戸との連結位置が変化しないと共にその位置での回動が自由な非移動連結部と、引戸との連結位置が上下方向に移動して変化する移動連結部とを有し、移動連結部の移動方向に沿って延伸していると共に規制部を有する長尺部材を起立、倒伏自在に設け、前記規制部は前記長尺部材が倒伏状態では前記移動連結部の移動を規制せず、起立状態において規制し、前記長尺部材には該長尺部材の長手方向に離隔した複数箇所に係合部が設けられており、何れかの係合部が、長尺部材の傍に設けた錠前を操作することによって駆動される被駆動部材と係合し合って、該長尺部材を起立、倒伏させることができることを特徴とする家具を提供する。
例えば、上と下に組み合わされた組み合わせ家具の場合、夫々も家具であり、侵害か否かの判断においては上下何れかが本第１発明に当てはまるか否かで判断できる。
【０００５】
第２の発明では、夫々が第１の発明の家具であって、下置き家具と、該下置き家具の上に載置される上置き家具との組み合わせからなる家具であって、夫々に３枚以上の引戸を有し、前記係合部を前記長尺部材の長手方向各端部又はその近傍に設け、下置き家具と上置き家具の上下方向に沿って同一種類の長尺部材を夫々配設し、下置き家具では上方の係合部に隣接する位置に錠前を設け、上置き家具では下方の係合部に隣接する位置に錠前を設けるよう構成する。
【発明の効果】
【０００６】
第１の発明では、錠前によって被駆動部材を操作して長尺部材を起立或いは倒伏させ、これに設けている規制部によってリンク機構の作動による移動連結部の移動を規制したり或いは規制を解除したりできる。従って、引戸による開口部の開放を規制したり、或いは開放可能にさせる。ここで、長尺部材は移動連結部の上下移動方向に沿って設けられているため、家具の高さに応じて、長尺部材に設けた複数箇所の係合部の中から、錠前の所望装着高さに対応する係合部を選択できる。家具の引戸に窓を設ける場合、上記特許文献２の場合では、ストップバーが左右方向に延伸しているため、窓から該バー部材が見えたり、或いは、窓周辺部の金属板枠に隠すとしても、その位置は引戸の上端部か下端部に限られ、高さ位置が限られるが、本発明に係る長尺部材は上下方向であるため、窓の左縁部又は右縁部の金属板枠の裏に沿って隠して配設でき、高さ位置の異なる複数係合部の中から所望係合部を選定でき、錠前の設置高さを選択できる。更には、係合部を長尺部材の長手方向複数箇所に設けているので、この長尺部材を一種類製作するだけで、設置高さの異なる複数の家具に対して使用可能となり、その分、コスト低減が可能となる。
【０００７】
第２の発明では、下置き家具では上方の係合部に隣接する位置に錠前を設け、上置き家具では下方の係合部に隣接する位置に錠前を設けるので、この上下組み合わせの家具における中央高さ領域に夫々錠前を集めて設けることができ、人の錠前操作が容易になる。
【発明を実施するための最良の形態】
【０００８】
以下、本発明を添付図面に示す実施形態例に基づき、更に詳細に説明する。
図１は本発明に係る家具として、上下に重ねて載置した保管庫の正面図、図２は上置き家具１０の引戸の裏側から見た要部裏面図、図３は図２の要部の拡大図、図４は図３の矢視線Ｄ方向から見た下面図、図５は図４の状態とは異なる状態の図である。上置き家具１０も下置き家具１０’も、夫々、３個の引戸Ｄ１，Ｄ２，Ｄ３；Ｄ１’，Ｄ２’，Ｄ３’を有している。
【０００９】
上置き家具では、右側引戸Ｄ１と左側引戸Ｄ３の各下方位置に引手Ｈ１，Ｈ２が設けられており、下置き家具では、右側引戸Ｄ１’と左側引戸Ｄ３’の各上方位置に引手Ｈ１’，Ｈ２’が設けられている。また、引手Ｈ１の近くであって、少し下方位置に、錠前としてのキーシリンダ２０が設けられており、引手Ｈ１’の近くであって、少し下方位置に、錠前としてのキーシリンダ２０’が設けられている。即ち、引手も錠前も、使用者が立った自然な姿勢のまま、その手が届く範囲に設けられている。これにより、使用者が引戸を開閉操作する場合、上置き家具も下置き家具も、使用者が自然な姿勢のままで、手を各引手に掛け易く、また、施錠したり開錠する場合も同様に自然な姿勢で操作が容易となる。
【００１０】
上下家具共、各引戸を連動させるためのリンク機構の基本部材として、閉じた状態における各引戸の下部に、図１に破線で示すように緩く傾斜させて連動バー１２を設けている。各引戸を閉じた状態において、各引戸の透明なガラス等の窓Ｗから該連動バー１２が見えないように配慮し、窓Ｗを囲む金属板枠の幅寸法を設定している。即ち、上下何れの家具も、各引戸の下枠部の上下幅寸法は上枠部の上下幅寸法よりも大きい。主に図２を参照すれば、連動バー１２の一端部は、左側引戸Ｄ３の下部突出部に枢軸Ｊ３の回りに回転自在に連結し、左側引戸Ｄ３に対するこの連結位置は不変であり、非移動連結部である。
【００１１】
一方、連動バーの他端部には枢軸Ｊ１回りに回転自在なローラーＲ１が装着されている。また、家具筐体の傍らの引戸Ｄ１の金属板枠Ｄ１Ｂに固定されて上下方向に延伸しているガイドレール部材Ｇ１は、このローラーＲ１を介して前記他端部を上下方向に移動自在に保持している。この他端部、即ち、枢軸Ｊ１やローラーＲ１が移動連結部である。また、連動バーの長手方向の中央部には、短い所定長さの板部材１３を固定しており、この板部材の端部に対して枢軸Ｊ２回りに回転自在に他のローラーＲ２を装着している。この端部、即ち、枢軸Ｊ２やローラーＲ２も移動連結部である。一方、閉じた状態の右側引戸Ｄ１傍らの中引戸Ｄ２の部位には他のガイドレール部材Ｇ２が上下方向に設けられており、ローラーＲ２をこのガイドレール部材Ｇ２にて保持案内する。
【００１２】
従って、例えば、左側引戸Ｄ３の引手Ｈ２に手を掛けて引戸を引いて家具の開口部を開放させようとすると、連動バー１２は、ガイドレール部材Ｇ１に沿ってそのローラーＲ１を上方に移動させながら、また、ガイドレール部材Ｇ２に沿ってローラーＲ２を上方に移動させながら、その傾斜を大きくしつつ中引戸Ｄ２をも右側引戸Ｄ１の方に移動させる。即ち、各引戸が連動している。このガイドレール部材Ｇ１に沿って、また、概ね同じ長さの長尺部材１４が、引戸Ｄ１の戸面寄りに配設されている。この長尺部材はそのフランジ部１４Ｆを介して、引戸Ｄ１の金属板枠Ｄ１Ｂに固定されているガイドレール部材Ｇ１に対して係合装着され、上下方向ライン（長尺部材の長手方向）を中心軸として起立、倒伏自在に設けられている。
【００１３】
この装着された長尺部材の長手方向下端部には係合部１４Ｋが設けられている。一方、この係合部の傍に位置するように、キーシリンダー２０が金属板枠Ｄ１Ｂに装着されており、そのキー操作によって進退駆動される被駆動部材２２の一端部が前記係合部１４Ｋに係止している。キー操作によって施錠した場合は、長尺部材が起立して図４に示すようになる。一方、開錠した場合は、倒伏して図５のようになる。更に、長尺部材１４の連結バー１２側の面には、該連結バーに向かって立設した規制部ＫＢを装着固定している。長尺部材の長手方向における装着位置は、各引戸を閉じた図１の状態における連動バー１２のローラーＲ１の設けられている端部に近接した位置である。長尺部材が起立した状態では、この規制部はローラＲ１の位置する連動バー端部の移動を規制する高さを有している。
【００１４】
従って、錠前２０を施錠すれば３枚の引戸は何れも開放できない。一方、開錠すれば、図５に示すように、規制部ＫＢは引戸Ｄ１の金属板枠Ｄ１Ｂ側に寄るように倒れ、連動バー１２の移動に対して干渉しない。従って、引戸の開放が可能となる。
一方、長尺部材の長手方向上端部には他の係合部１４Ｋ’が設けられている。上置き家具１０では、この長尺部材１４の上端部の係合部は使用されていない。しかし、下置き家具１０’にも、右側引戸Ｄ１’の右側金属板枠の裏面側には、上置き家具と同じ寸法形状の長尺部材１４が同じように配設されており、上端部の係合部１４Ｋ’の傍に錠前２０’が配設されており、この係合部１４Ｋ’が使用され、下端部の係合部１４Ｋは使用されない。
【００１５】
従って、一種類の長尺部材１４を製作することによって、上置き家具にも下置き家具にも共通に使用でき、これに代る２種類の部材を作って、在庫管理をしつつ、組立時に使い分けるよりも、家具全体のコストを低減させることができる。
上記例では、錠前は、キー操作によって駆動される被駆動部材が進退移動するタイプであるが、起立、倒伏自在な長尺部材を、常時倒伏方向に付勢押圧するようにバネ部材等の弾性部材を装着しておき、錠前はキー操作によって被駆動部材が回動するタイプとし、この回動によって弾性部材の付勢力に抗して長尺部材を起立させることもできる。
【００１６】
また、上記例では長尺部材と錠前の装着位置を家具の左右の一端部としているが、連動バーの中央部の移動連結部である枢軸Ｊ２を有するローラＲ２の上方移動を直接に規制すべく、この中央寄りの位置に規制部を有する長尺部材と錠前を設けてもよい。更には、上記例のリンク機構は、所謂、Ｉ型であり、例えば、中央の連結部が移動連結部となるＶ型等の場合に、この位置に対応して、家具の中央寄りの位置に長尺部材と錠前を設けるように構成してもよい。更には、２つの係合部は長尺部材の下端部と上端部であるが、端部以外の位置でもよい。また、係合部を３箇所以上の位置に設けていてもよい。また、上記例は窓Ｗを有する家具であるが、こうした窓の無い全面金属板の引戸であってもよい。
【産業上の利用可能性】
【００１７】
本発明は、３枚以上の引戸を有する書庫等の家具に利用できる。
【図面の簡単な説明】
【００１８】
【図１】図１は、本発明に係る家具の正面図である。
【図２】図２は、上置き家具の引戸の裏側から見た要部裏面図である。
【図３】図３は、図２の要部の拡大図である。
【図４】図４は、図３の矢視線Ｄ方向から見た下面図である。
【図５】図５は、図４の状態とは異なる状態の図である。
【符号の説明】
【００１９】
１０                    上置き家具
１０’                  下置き家具
１２                    連動バー
１４                    長尺部材
１４Ｋ，１４Ｋ’        係合部
２０，２０’            錠前
２２                    被駆動部材
Ｊ３                    枢軸（非移動連結部）
ＫＢ                    規制部
Ｊ１，Ｊ２              枢軸（移動連結部）
【図１】
2006257698.tif 000003
【図２】
2006257698.tif 000004
【図３】
2006257698.tif 000005
【図４】
2006257698.tif 000006
【図５】
2006257698.tif 000007